【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
精米建屋（１５）を仕切壁（１）によって操作室（２）と機械室（３）に仕切り、
投入ホッパ（４）に投入した供給米を、投入ホッパ（４）の底部に設けるラセン樋（５）内のラセン（２６）で昇降機（６）に供給し、吸引排塵機（９）を備える籾摺選別装置（２２）や精米装置（８）で籾摺と精米をするコイン精米機において、
仕切壁（１）よりも操作室（２）側には、投入ホッパ（４）を設け、ラセン樋（５）は、投入ホッパ（４）の底部と、機械室（３）側の昇降機（６）を接続する構成とし、
機械室（３）側のラセン樋（５）の出口（１０）と昇降機（６）の入口（１１）との間にラセン樋（５）内に外気を吸引する吸気口（１２）を設けたことを特徴とするコイン精米機。
【請求項２】
吸気口（１２）に、外気を吸引案内する吸気筒（１３）を形成し、吸気筒（１３）は、操作室（２）と連通することを特徴とする請求項１記載のコイン精米機。
【請求項３】
前記吸気口（１２）に開閉弁（１４）を設け、精米運転中で、かつラセン（２６）が回転中には、開閉弁（１４）を閉鎖し、精米運転中にラセン（２６）を停止させるときには、開閉弁（１４）を開放することを特徴とする請求項１、又は請求項２に記載のコイン精米機。
【手続補正２】
【補正対象書類名】明細書
【補正対象項目名】全文
【補正方法】変更
【補正の内容】
【発明の詳細な説明】
【発明の名称】コイン精米機
【技術分野】
【０００１】
この発明は、コイン精米機に関し、操作室の玄米投入ホッパに投入した玄米を正確に搬送供給させるものである。
【背景技術】
【０００２】
建室式の籾摺精米設備（コイン精米装置）では、籾摺部や、精米部等の吸引ファンの作用で機械室内の負圧力が大きくなるのを防止するため、建室の側壁にガランを設ける技術（例えば、特許文献立１参照）が知られている。
【先行技術文献】
【特許文献】
【０００３】
【特許文献１】特開２００１ー１９８４７８号公報
【発明の概要】
【発明が解決しようとする課題】
【０００４】
投入ホッパに供給される籾米、又は玄米を、投入ホッパ底部のラセン樋（搬送オーガ）で搬送する精米装置（籾摺装置を併設する形態もあり、精米装置と共に籾摺装置をも併設して、籾摺して得た玄米を精米可能とする形態）にあっては、これら籾摺装置や、精米装置を配置する機械室内の負圧力が高い場合は、投入ホッパ内の供給米が、この投入ホッパ底部のラセン樋のラセンが回転していないときでも、前記機械室内の吸引負圧力によって搬送されることがあり、これによって搬送詰りを起したり、故障を発生し易くなる。運転作業の途中において一時的にラセンの回転を停止した場合は、ラセン樋の内部に少量の供給米が残留する状態となって、吸引負圧力によって吸込み搬送され易くなる。
【課題を解決するための手段】
【０００５】
請求項１に記載の発明は、
精米建屋（１５）を仕切壁（１）によって操作室（２）と機械室（３）に仕切り、
投入ホッパ（４）に投入した供給米を、投入ホッパ（４）の底部に設けるラセン樋（５）内のラセン（２６）で昇降機（６）に供給し、吸引排塵機（９）を備える籾摺選別装置（２２）や精米装置（８）で籾摺と精米をするコイン精米機において、
仕切壁（１）よりも操作室（２）側には、投入ホッパ（４）を設け、ラセン樋（５）は、投入ホッパ（４）の底部と、機械室（３）側の昇降機（６）を接続する構成とし、
機械室（３）側のラセン樋（５）の出口（１０）と昇降機（６）の入口（１１）との間にラセン樋（５）内に外気を吸引する吸気口（１２）を設けたことを特徴とするコイン精米機とする。
【０００６】
請求項２に記載の発明は、吸気口（１２）に、外気を吸引案内する吸気筒（１３）を形成し、吸気筒（１３）は、操作室（２）と連通することを特徴とする請求項１記載のコイン精米機。
【０００７】
請求項３に記載の発明は、前記吸気口（１２）に開閉弁（１４）を設け、精米運転中で、かつラセン（２６）が回転中には、開閉弁（１４）を閉鎖し、精米運転中にラセン（２６）を停止させるときには、開閉弁（１４）を開放することを特徴とする請求項１、又は請求項２に記載のコイン精米機とする。
【発明の効果】
【０００８】
請求項１に記載の発明は、
吸気口１２からラセン樋５内に外気が吸入されるため、精米運転中に、ラセン樋５内側からの吸引風圧を弱くして、ラセン２６による搬送以外の吸引による供給米の昇降機６への搬送を防止できる。又、前記吸気口１２をラセン樋５の出口１０と昇降機６の入口１１との間に形成して、機械室３内に開口連通するものであるから、構成を簡単にすることができる。
【０００９】
請求項２に記載の発明は、
吸気口１２に、外気を吸引案内する吸気筒１３を形成し、吸気筒１３は、操作室２と連通することで、
吸気口１２は所定長さの吸気筒１３を形成するものであるから、吸気口１２の開口面積を大きくすることができる。また、吸気口１２から一部の籾米や玄米が飛び出しても、吸気筒１３により、機外に飛散することを防止できる。
【００１０】
請求項３に記載の発明は、
前記吸気口１２に開閉弁１４を設け、精米運転中で、かつラセン２６が回転中には、開閉弁１４を閉鎖し、精米運転中にラセン２６を停止させるときには、開閉弁１４を開放することで、
運転中のラセン樋５のラセンを一時停止時や、運転終了間際のラセン停止時に、吸引による供給米の昇降機６への搬送を防止できる。
【図面の簡単な説明】
【００１１】
【図１】コイン精米気の平面配置図。
【図２】その正面図。
【図３】操作室部の内面図。
【図４】機械室部の側面図。
【図５】ラセン樋部の側面図。
【図６】一部別実施例を示す螺旋樋部の側面図。
【図７】一部別実施例を示す螺旋樋部の側面図。
【図８】一部別実施例を示す螺旋樋部の側面図。
【図９】一部別実施例を示す昇降機部の側面図。
【図１０】一部別実施例を示す昇降機部の側面図。
【発明を実施するための形態】
【００１２】
図面に基づいて、コイン籾摺精米機は、精米建屋１５の内部を仕切壁１によって操作室２と機械室３とに仕切る。操作室２は、作業者が出入して、籾米、又は玄米を持ち込んで前記仕切壁１の一側に配置の投入ホッパ４へ供給することができる。前記仕切壁１には、前記投入ホッパ４の他に、精米を行うための料金を投入するコインメック１６や、精米白度を選定する精白度スイッチ１７、その他の操作スイッチ、及びパイロットランプ等を配置する操作ボード１８を設け、この横側に精米された白米を取出す白米ホッパ１９を設け、この白米ホッパ１９から取出される白米を袋受けして持ち帰えることができる。前記投入ホッパ４の手前には袋載台２０を設けて、投入ホッパ４への供給米（籾米、又は玄米）の投入供給を行い易くしている。
【００１３】
前記機械室３には、前記投入ホッパ４の奥側位置に、昇降機６や、インペラ脱ぷ形態の籾摺機２１、籾摺選別装置２２、及び吸引排塵機９等を配置し、この吸引排塵機９の排塵筒２３を建屋１５外側へ開放させている。又、前記操作ボード１８部の奥側には、選別装置７や、玄米昇降機２４を配置し、白米ホッパ１９の奥側には精米装置８を配置している。又、これら選別装置７や精米装置８の奥側にはサイクロン形態の集塵装置２５を設けている。
【００１４】
ここにおいて、前記コイン精米機は、前記ラセン樋５の出口１０と、昇降機６の入口１１部との間に、前記機械室３外の外気を吸引案内する吸気口１２を設けた精米供給装置の構成とする。
【００１５】
コイン精米機は、精米利用者が所定量の供給米米と、これとを籾摺、及び精米するための精米利用料金とを投入、供給することによって、白米として自動精米することができるもので、操作室２の投入ホッパ４に所定量の供給米を投入して籾摺、及び精米を行わせる。この投入ホッパ４に供給された供給米は、この底部のラセン樋（オーガ）５のラセンの駆動によって送り込まれて、このラセン樋５の出口１０から昇降機６の入口１１へ送込まれ、この昇降機６を経て選別装置７や、籾摺り選別装置、又は精米装置８等へ搬送されて、籾摺、及び精米作用が行われる。又、このような精米作用中は、機械室３内には、前記選別装置７や、籾殻や、精米糠等を吸引排除する吸引排塵機９等の吸引風圧が働いて、負圧の状態に維持されるため、この吸引負圧が前記ラセン樋５と昇降機６との間の吸気口１２に作用して、この吸気口１２から外気を吸入して、ラセン樋５内側への吸引負圧力を弱くすることとなって、ラセン樋５のラセンが例え停止中であっても、この吸引負圧力によって出口側への吸引繰り出しを少なくし、又は、防止することができる。このため、機械室３内に吸引風圧による負圧力が働いているとき、ラセン樋５のラセン駆動を停止するも、投入ホッパ４の籾米や、玄米の供給米を、昇降機６側への繰込が停止される。
【００１６】
又、前記吸気口１２は、前記ラセン樋５外の外気を吸引案内する吸気筒１３を形成し、又は、前記操作室２に連通して、この操作室２内の外気を吸引案内する吸気筒１３を形成する。
【００１７】
前記のように機械室３内に働く負圧は、ラセン樋５の出口１０と昇降機６の入口１１との間の吸気口１２に作用して、この吸気口１２に形成される吸気筒１３を経て機械室３外に、乃至操作室２に連通して、ラセン樋５内に働く吸引負圧力を弱くする。この吸気筒１３からの外気吸入によって、吸気口１２に飛び出す供給米があっても、昇降機６及び入口１１側へ吸引搬送され易くする。
【００１８】
更には、前記吸気口１２には、精米運転中は閉鎖可能の開閉弁１４を設ける。
前記のように吸引排塵機９等の駆動によって機械室３内には吸引負圧状態が維持されるため、吸気口１２の開閉弁１４が開いているときは、この吸気口１２から外気を吸入して、ラセン樋５側の吸引負圧作用を無くし、乃至軽減して、ラセン樋５におけるラセン駆動を停止したときは、このラセン樋５からの玄米等の吸出搬送を正確に防止する。このため、開閉弁１４は、一般に精米運転中は吸気口１２を閉鎖しておき、精米運転停止時に吸気口１２を開口するように操作することによって、このラセン樋５からの繰出搬送を停止するときの、機械室３内負圧による不要な吸出搬送を阻止する。
【００１９】
前記投入ホッパ４の底部には、ラセン樋５を奥側に向けて設け、この奥側出口１０を昇降機６の入口１１にのぞませて開口させる。このラセン樋５のラセン２６を電動モータＭ１によって駆動回転することにより、投入ホッパ４内の供給米をラセン樋５に案内させて出口１０へ搬送して、昇降機６の入口１１へ流下供給させる。
【００２０】
前記昇降機６を搬送される籾は、切替弁２８によって籾摺機２１へ搬送供給されて脱ぷ作用が行われる。この脱ぷされる摺出米は、脱ぷ漏斗２７から選別風路２８へ流下され、この風選された摺出米が、シュート２９を経て、選別装置７へ供給される。この選別装置７で選別された玄米が昇降機２４を経て精米装置８へ搬送供給される。この籾摺選別装置２２には、選別風路２８に吸引風を流す吸引排塵機９が設けられていて、この機械室３内の空気を前記選別風路２８を通して吸引しながら排塵筒２３へ排風案内する。又、前記インペラ形態の籾摺機２１では、このインペラの回転によって機械室３内から吸気しながら摺出米を前記脱ぷ漏斗２７へ揚穀する。
【００２１】
又、投入ホッパ４に玄米を供給選別装置７側へ精米する場合は、前記切替弁２９が切替えられて、昇降機６からシュート３０を経て選別装置７へ供給されて玄米の選別作用が行われ、この選別された玄米が昇降機２４を経て精米装置８へ供給される。
【００２２】
前記精米装置８にも除糠用等の風選装置があって、精米室内に吸引風圧を流して除糠しながら集塵装置２５へ吸引排出させる形態としている。昇降機６、２４や、この昇降機６、２４から揚穀された穀粒を受けるホッパ、籾摺選別装置の選別排塵部等の選別風を吸引しながら、この吸引選別排塵風の中から籾殻や、精米除糠、排塵物等をサイクロン補集して袋詰３１するもので、排塵筒２３からは排風のみ行わせて、衛生的な籾摺、精米作業を行うものである。
【００２３】
前記のように、籾摺選別装置２２や精米装置８の全部又は一部が運転されているときは、前記吸引排塵機９や、選別装置７等の吸引ファン回転による吸引風圧が機械室３内部に働いていて、この吸引風圧（負圧）が前記ラセン樋５の出口１０部近傍の吸気口１２に作用して、この吸気口１２から機械室３外の外気を吸入することができる。この吸気口１２から外気を吸入することができる状態では、機械室３内の負圧はラセン樋５の出口１０にも作用しているため、このラセン樋５内を通して投入ホッパ４内の籾粒や、玄米をも吸い込むように働いている。そこで、前記吸気口１２が開口状態であるか、又はこの開閉弁１４を設ける形態であっては開閉弁１４を開くことによって、吸気口１２から外気が吸入される状態になると、この近傍位置に形成されるラセン樋５の出口１０に作用する負圧力が弱くなるため、ラセン樋５内部に停滞する籾米や、玄米を吸い出すことができない状態となる。
【００２４】
図５のように前記吸気口１２は、ラセン樋５の出口１０位置よりも若干高い位置に吸気室３２を形成して、この吸気室３２に出口１２を形成したもので、この出口１２には吸気筒１３を連設している。この吸気筒１３の外気吸入口は、建屋１５の外側にのぞませているもよいが、前記操作室２内にのぞませている形態としている。特に、この操作室２の天井部にのぞませて塵埃を吸引し難い形態とすることができる。
【００２５】
機械室３が負圧状態になるとラセン樋５の出口１０が吸気されても、この近傍位置の吸気口１２からが吸引抵抗少く容易に吸入されるため、ラセン樋５内にある玄米の吸引搬送が行われ難く、投入ホッパ４内の供給停止時の玄米等の、ラセン樋５からの飲込搬出、乃至吸込搬出をなくして、これによる昇降機６や、籾摺機２１、乃至精米装置８の詰り、不具合等の発生を防止するものである。
【００２６】
次に、主として図６に基づいて、前記吸気口１２に開閉弁１４を設ける形態では、精米機の運転中はこの開閉弁１４を閉鎖しておき、螺旋２６の回転を一時停止するとき、又は運転終了間際の螺旋２６回転停止時に開閉弁１４を開放するように作動させる。図例の開閉弁１４は、開閉回動のヒンジピン３５周りにスプリング３６を設けて、この開閉弁１４にスプリング３６圧に抗する負圧が働くことによって、開閉弁１４が自動的に開き回動されて、吸気口２から外気を機械室３内へ吸入することができ、ラセン樋５の出口１０に対する吸引負圧力を弱くする。
【００２７】
又、図７は、前記開閉弁１４がスプリング３６力に抗して所定以上に開いたことを検出する開センサ３７で、リミットスイッチから構成している。この開センサ３７によって開閉弁１４が開いたことを検出すると、報知器等を出力させて、機械室３内が負圧状態にある旨を作業者に知らせるものである。
【００２８】
次に、主として図８に基づいて、前記ラセン樋５の出口１０と、昇降機６の入口１１との間を覆う入口漏斗３３の天井部カバー３４に電磁ソレノイド３７によって開閉作動する開閉弁１４を設ける。この開閉弁１４は、前記コインメック１６に供給されたコインのコイン切れによる運転作動の停止時、及び投入ホッパ４における玄米センサが玄米のなくなったことを検出したときに、ソレノイド３７を作動させて開閉弁１４を開き、吸気口１２から外気を吸入できる状態にするものである。
【００２９】
次に、主として図９に基づいて、前記外気を機械室３内へ吸引する吸気口１２を昇降機６に設けたものである。前記昇降機６の上部開口部４０に、吸気口１２、及びこの吸気口１２を開閉する開閉弁１４を有した取付けプレート３８をビス３９止め等で取付けて、この開閉弁１４による吸気口１２を開くことによって、この吸気口１２に連設の吸気筒を経て外気を昇降機６内へ吸引し、ラセン樋５への吸引負圧の働きを弱くするものである。この形態は、ラセン樋５出口１０と昇降機６の入口１１とを気密的に連結して構成する場合に有効である。前記昇降機６の入口１１部に吸気口１２を設けた形態と同様の目的、効果を有するものである。
【００３０】
次に、主として、図１０に基づいて、前記のように、昇降機６の揚穀ホッパ４１口部４２に、籾摺機２１へ案内するシュータ３０、及び４４とを設け、これらのシュータ４３と３０との間を切り替える切替弁２９を構成する形態において、インターロック時、及びコイン切れ終了時には、前記切替弁２９をシュータ３０、４４側へ流下排出するように切替えることができ、このシュータ４４から取り出された米を、作業者が持ち帰ることができる。前記籾摺別装置２２部が回転することにより、投入ホッパ４部に少量の供給米が残っている場合は、この残留米が昇降機６側へ吸込まれ易くなっていて、吸引搬送され易くなっているが、切替弁２９を持帰り側へ操作することにより、籾摺機２１と投入ホッパ４部との繋がり関係を断って、残留米の吸込み搬送を防止することができる。
【００３１】
前記揚穀ホッパ４１の切替弁２９は、籾摺機２１側のシュータ４３と、選別装置７側のシュータ３０とに流下案内するように切替ることができるが、このシュータ３０の途中には切替弁４５が設けられていて、前記選別装置７側と操作室２側のシュータ４４とに切替る二段切替弁の形態に構成している。
【符号の説明】
【００３２】
１    仕切壁
２    操作室
３    機械室
４    投入ホッパ
５    ラセン樋
６    昇降機
７    選別装置
８    精米装置
９    吸引排塵機
１０    出口
１１    入口
１２    吸気口
１３    吸気筒
１４    開閉弁
１５    建屋